(57)【要約】【課題】斬新な装飾的な趣向を持った縫い目を形成させることができるようにする。【解決手段】かぎ針に複数本の糸を同時に掛け、当該かぎ針を布地に挿通させて複数本の糸が重ね合った縫い目を形成させる。複数本の糸の張力をそれぞれ独立に可変とする複数の糸調子機構４を備えている。複数の糸調子機構による張力を一又は複数の縫い目を形成させる度に変更させる張力変更機構５を備えている。かぎ針に２本の糸を同時に掛け、当該かぎ針を布地に挿通させて２本の糸が重ね合った縫い目を形成させる刺繍縫いミシンであって、２本の糸の張力をそれぞれ独立に可変とする糸調子機構（糸調子部材Ａ，Ｂ）を２個設け、糸調子機構による張力を一又は複数の縫い目を形成させる度に変更する張力変更機構５を備えている。張力変更機構により２個の糸調子部材Ａ，Ｂによる張力を一つの縫い目を形成する毎に交互に強弱に調整する。【選択図】        図１
2004154385.tif 000002
【特許請求の範囲】
【請求項１】
かぎ針に複数本の糸を同時に掛け、当該かぎ針を布地に挿通させて複数本の糸が重ね合った縫い目を形成させることを特徴とする刺繍縫いミシン。
【請求項２】
前記複数本の糸の張力をそれぞれ独立に可変とする複数の糸調子機構を備えたことを特徴とする請求項１記載の刺繍縫いミシン。
【請求項３】
前記複数の糸調子機構による張力を前記一又は複数の縫い目を形成させる度に変更させる張力変更機構を備えたことを特徴とする請求項１記載の刺繍縫いミシン。
【請求項４】
かぎ針に２本の糸を同時に掛け、当該かぎ針を布地に挿通させて２本の糸が重ね合った縫い目を形成させる刺繍縫いミシンであって、前記２本の糸の張力をそれぞれ独立に可変とする糸調子機構を２個設け、前記糸調子機構による張力を前記一又は複数の縫い目を形成させる度に変更させる張力変更機構を備えたことを特徴とする刺繍縫いミシン。
【請求項５】
前記張力変更機構において前記２個の糸調子機構による張力を一つの縫い目を形成する毎に交互に強弱に調整する手段を備えたことを特徴とする請求項４記載の刺繍縫いミシン。
【発明の詳細な説明】
【０００１】
【発明の属する技術分野】
本発明は、布地に複数本の糸が重ね合った縫い目（例えばチェーンステッチ）を形成させることができ、好ましくは当該複数の糸の張力を縫い目を形成する度に変更して張力の変化に対応した細い又は太い糸目模様を形成することができる刺繍縫いミシンに関する。
【０００２】
【従来の技術】
従来のミシンとしては、１本のかぎ針に１本の糸を掛けて布地に挿通させて縫い目（例えばチェーンステッチ）を形成させるものがある。また、糸の張力を調整する糸調子機構を設けて縫い目を形成させる際に糸の張力を調整して、細い又は太い糸目を形成させるものがある。
【０００３】
【発明が解決しようとする課題】
１本のかぎ針に１本の糸を掛けて布地に挿通させて縫い目を形成させるものでは、糸による縫い目（糸目）は単調な縫い目ものとなりがちであり装飾的な趣向に欠ける。
【０００４】
糸の張力を調整する糸調子機構を設けて張力を調整するものでは、糸目に多少変化を与えることができるが、１本の糸であり１色であるので、画期的な装飾的な効果を与えることは難しい。
【０００５】
本発明は、かかる事情に鑑みてなされたもので、斬新な装飾的な趣向を持った縫い目を形成させることができる刺繍縫いミシンを提供することを目的とする。
【０００６】
【課題を解決するための手段】
本発明の請求項１記載の刺繍縫いミシンは、かぎ針に複数本の糸を同時に掛け、当該かぎ針を布地に挿通させて複数本の糸が重ね合った縫い目を形成させることを特徴とする。
【０００７】
複数本の糸が重なった縫い目により装飾的な趣向を与えることができ、複数本の糸の色を適宜選択して組み合わせれば、斬新な装飾的効果を与えることができる。
【０００８】
本発明の請求項２記載の刺繍縫いミシンは、前記複数本の糸の張力をそれぞれ独立に可変とする複数の糸調子機構を備えたことを特徴とする。
【０００９】
複数本の糸に対応した複数の糸調子機構により糸の張力を変化させることにより、複数本の糸が重なった縫い目のうちの一部の糸の糸目を細くしたり太くしたりと変化させることができ、斬新な装飾的な趣向を与えることができる。
【００１０】
本発明の請求項３記載の刺繍縫いミシンは、前記複数の糸調子機構による張力を前記一又は複数の縫い目を形成させる度に変更させる張力変更機構を備えたことを特徴とする。
【００１１】
一つの縫い目あるいは複数の縫い目を形成する際に糸調子機構による張力を変化させ、一又は複数の縫い目ごとに糸目を細くしたり太くしたり変化させることができ、極めて斬新な装飾的な趣向を与えることができる。
【００１２】
本発明の請求項４記載の刺繍縫いミシンは、かぎ針に２本の糸を同時に掛け、当該かぎ針を布地に挿通させて２本の糸が重ね合った縫い目を形成させる刺繍縫いミシンであって、前記２本の糸の張力をそれぞれ独立に可変とする糸調子機構を２個設け、前記糸調子機構による張力を前記一又は複数の縫い目を形成させる度に変更させる張力変更機構を備えたことを特徴とする。
【００１３】
糸調子機構による張力を一又は複数の縫い目を形成させる度に変化させて、一又は複数の縫い目ごとに、２本の糸が重なった縫い目のうちの一方又は他方の糸目を細くしたり太くしたり変化させることができ、極めて斬新な装飾的な趣向を与えることができる。
【００１４】
本発明の請求項５記載の刺繍縫いミシンは、前記張力変更機構において前記２個の糸調子機構による張力を一つの縫い目を形成する毎に交互に強弱に調整する手段を備えたことを特徴とする。
【００１５】
複数の糸が重ね合った縫い目において、糸目を交互に細くしたり太くしたり変化させることができ、極めて斬新な装飾的な趣向を与えることができる。
【００１６】
【発明の実施の形態】
以下に図面を参照して、本発明の実施の形態に係る刺繍縫いミシンについて説明する。
【００１７】
本刺繍縫いミシン１は、図１に示すように、ミシン本体２と、ミシン本体２が設置されるミシン台３とを備え、ミシン本体２には、２本の糸の張力をそれぞれ独立に可変とする糸調子部材Ａ，Ｂを含む糸調子機構４と、糸調子部材Ａ，Ｂによる張力を所定のタイミングで変化させる張力変更機構５とを備えて概略構成される。なお、図中２ａはミシン台３に嵌め込まれるベース部、２ｂは動力を伝達するプーリー、２ｃはかぎ針を図中上下方向に往復運動させて布地に縫い目を形成させる縫製機構である。
【００１８】
張力変更機構５は、以下のように構成される。すなわち、図２に示すように、前記プーリー２ｂに接続されたメインシャフト１０にはベベルギヤー１１が挿入されて止めネジ１１ａにより固定されている。図４に示すように、ミシン本体２のフレーム１２には、方形状の開口部１２ａが形成されて、この開口部１２ａを覆うように、アーム板１３が図示しない止めネジ等により固定されている。このアーム板１３には概略Ｌ字状の支持ブロック１８が止めネジ１３ａやスプリングスリーブ１３ｂなどにより固定されている。
【００１９】
図２に示すように、アーム板１３には貫通孔１３ｃが形成され、前記支持ブロック１８には対向して貫通孔１８ａが形成され、これら貫通孔１３ｃ及び貫通孔１８ａ内にはシャフト１４が回転自在に挿入されている。このシャフト１４の一端部には、円筒形のスペーサー１５が挿入され、スペーサー１５の外側に、前記ベベルギヤー１１と噛み合うベベルギヤー１６が止めネジ１６ａにより固定されている。シャフト１４の他端部には平歯車１７が止めネジ１７ａにより固定されている。
【００２０】
アーム板１３には貫通孔１３ｄが形成され、前記支持ブロック１８には対向して貫通孔１８ｂが形成され、これら貫通孔１３ｄ及び貫通孔１８ｂ内にはシャフト１９が回転自在にかつ摺動自在に挿入されている。アーム板１３と支持ブロック１８との間に位置するシャフト１９の中間部には、平歯車２０が止めネジ２０ａにより固定されている。この平歯車２０は前記平歯車１７に噛み合うように固定されている。平歯車２０の歯数は平歯車１７の歯数の２倍に設定されている。したがって、メインシャフト１０の２回転により平歯車２０が１回転する。
【００２１】
支持ブロック１８には、切換レバー２２がそのほぼ中央部で支軸ねじ２２ａによって揺動自在に取り付けられている。切換レバー２２の図中下端部にはピン２２ｂが突出して形成され、ピン２２ｂは、平歯車２０の歯車部に隣接して形成された周溝２０ｂ内に収納されている。切換レバー２２を揺動させると、平歯車２０はピン２２ｂによりシャフト１９とともに進退移動する。この際平歯車２０の歯車部は平歯車１７に対して相対的に摺動するが、これらの噛み合い状態は維持される。
【００２２】
図５に示すように、切換レバー２２に形成されたピン２２ｂの裏面側に位置する支持ブロック１８には貫通孔が形成され、この貫通孔内には切換レバー２２を揺動させた際に切換レバー２２と係合してクリック感を与えるボール３０ａと、このボール３０ａを切換レバー２２側に向けて突出付勢させるコイルスプリング３０ｂとが配置されている。
【００２３】
アーム板１３にはねじ部１３ｆが形成され、このねじ部１３ｆには支軸２４がねじ込まれている。支軸２４に同軸状に一体に形成された軸部２４ａには揺動レバー２５に形成された軸受け部２５ａが挿入され、ワッシャー２５ｂを介して止めねじ２５ｃを支軸２４の端部に形成されたねじ部２４ｂにねじ込んで、揺動レバー２５を支軸２４に揺動自在に取り付けている。
【００２４】
揺動レバー２５の一端側には折曲部２５ｍが形成され、折曲部２５ｍの付近には図中上方に突出した突出部２５ｄが形成され、この突出部２５ｄには貫通孔２５ｅが形成されている。この貫通孔２５ｅ内にはピン２６ａが挿入され、ピン２６ａには円環状のローラー２６が挿入され、ピン２６ａの先端には止めねじ２６ｂがねじ込まれて、ローラー２６が回転自在に取り付けられている。このローラー２６には、シャフト１９の先端に形成された円柱部１９ａ又はシャフト１９の先端に圧入されたカム２３の外周面が当接する。
【００２５】
揺動レバー２５の中間部には、折曲部２５ｆが形成され、この折曲部２５ｆよりもローラー２６側には貫通孔２５ｇが形成されている。支持ブロック１８にはバネ掛けピン２８がねじ込まれ、このバネ掛けピン２８と貫通孔２５ｇとの間に復帰用のコイルスプリング２８ａが架け渡されている。アーム板１３にはストッパ軸２９がねじ込まれており、このストッパ軸２９は揺動レバー２５の折曲部２５ｆの近傍に形成された貫通孔２５ｈ内に挿入されている。
【００２６】
図３に示すように、揺動レバー２５の一端部には貫通孔２５ｊが形成され、リンクバー３３の先端に形成された貫通孔３３ｃを通したボルト３３ａが貫通孔２５ｊ内に挿入されナット３３ｂをねじ込んで、揺動レバー２５の先端にリンクバー３３が連結されている。リンクバー３３の他端部には貫通孔３３ｄが形成され、同様にボルト３３ｅとナット３３ｆとによりＬ字リンク板３４の一端に形成された貫通孔３４ａに連結されている。
【００２７】
図３及び図８に示すように、ミシン本体２のベース部２ａの底面には、Ｌ字形のブラケット３５が止めねじ３５ａにより固定されている。このブラケット３５の図中下端部には貫通孔３５ｂが形成され、この貫通孔３５ｂには偏心軸３６の円柱状の軸部３６ａが挿入されている。この偏心軸３６の軸部３６ａの端面には円板状の鍔部３６ｂが一体に形成されており、鍔部３６ｂの偏心位置にネジ孔３６ｃが形成されている。
【００２８】
前記Ｌ字リンク板３４には、偏心軸３６の鍔部３６ｂが挿入される円形の貫通孔３４ｂが形成されている。この貫通孔３４ｂに挿入された鍔部３６ｂの図中前面から座金３８ａ及びナット３８ｂを当てがい、切換レバー３９の端部に形成されたネジ部３９ｂを鍔部３６ｂに形成されたネジ孔３６ｃにねじ込んで偏心軸３６と切換レバー３９とを一体化している。偏心軸３６の後端にはストッパ４０がはめ込まれて止めネジ４０ｂにより一体化されている。ストッパ４０にはプランジャー４０が取り付けられている。切換レバー３９には摘まみ部３９ａが外方に突出して設けられている。
【００２９】
この摘まみ部３９ａを摘んで切換レバー３９を回転させると偏心軸３６の鍔部３６ｂが貫通孔３４ｂ内で回転させられ、切換レバー３９のネジ部３９ｂがねじ込まれた偏心軸３６も一体となって回転し、所定角度回転したところでストッパ４０により回転がストップされる。
【００３０】
Ｌ字リンク板３４の他端には貫通孔３４ｃが形成されており、リンクバー４２の端部に形成された貫通孔４２ａ及び貫通孔３４ｃ内にボルト３４ｄを挿入してナット３４ｅをねじ込み、Ｌ字リンク板３４とリンクバー４２とを連結している。切換レバー３９の摘まみ部３９ａを摘まんで回転させて偏心軸３６の鍔部３６ｂを貫通孔３４ｂ内で回転させると、Ｌ字リンク板３４は貫通孔３４ｂを中心として揺動させられリンクバー４２は水平方向に僅かに移動させられることになる。
【００３１】
図３及び図８に示すように、ミシン本体２のベース部２ａの底面には、Ｌ字形のブラケット４４が止めねじ４４ａにより固定されている。このＬ字のブラケット４４の上部内面には糸調子取付ブラケット４５が止めねじ４５ａによりベース部２ａの底面に取り付けられている。
【００３２】
調子皿開閉レバー４６の中央部付近に形成された貫通孔４６ａ内に支軸ネジ４６ｂを通し、ブラケット４４に形成された貫通孔４４ｂに挿通させてナット４６ｃをねじ込み、調子皿開閉レバー４６がブラケット４４の下端部に取り付けられている。調子皿開閉レバー４６における貫通孔４６ａの少し上方位置には貫通孔４６ｄが形成され、この貫通孔４６ｄ内には止めねじ４６ｅが挿入され、リンクバー４２の端部に形成された貫通孔４２ｂ内に挿入されナット４６ｆをねじ込んで、リンクバー４２と調子皿開閉レバー４６とを一体に連結している。
【００３３】
糸調子取付ブラケット４５には図中上下方向に所定間隔を隔てて貫通孔４５ｂ及び貫通孔４５ｃが形成されており、各貫通孔４５ｂ，４５ｃには糸調子部材Ａ，Ｂが取り付けられている。すなわち、貫通孔４５ｂ，４５ｃ内には調子作動ピン５１，６１が挿入されるとともに、これらの調子作動ピン５１，６１の外側に中空状の調子ネジ棒５０，６０を被せて挿入してナット４５ｄをねじ込んで、調子ネジ棒５０，６０を調子取付ブラケット４５と一体化している。調子ネジ棒５０の他端には固定の調子皿５２、可動の調子皿５３、押圧コイルスプリング５４が挿入され、他端にナット５５が挿入されてこれらが一体化されている。同様に、調子ネジ棒６０の他端には固定調子皿６２、可動調子皿６３、押圧コイルスプリング６４が挿入され、他端にナット６５が挿入されてこれらが一体化されている。
【００３４】
糸調子取付ブラケット４５には側方に突出部が形成され、この突出部には先端に糸穴４５ｅが形成されたロッド４５ｆが図中水平方向に固定されている。ロッド４５ｆと平行にロッド４５ｇが形成されている。ロッド４５ｆの先端部にはコイルスプリング７０が外挿されており、コイルスプリング７０の一端がロッド４５ｇの先端に止めねじ７０ａにより固定されている。コイルスプリング７０の他端には円弧状に伸びる円弧状部７０ｂと円弧状部７０ｂの先端に形成されたリング部７０ｃとが形成されている。
【００３５】
次に、本実施の形態にかかる刺繍縫いミシンの動作について説明する。
【００３６】
プーリー２ｂを回転駆動させるとメインシャフト１０が回転駆動させられる。メインシャフト１０の回転は、縫製機構２ｃに伝達されてかぎ針が図中上下方向に往復運動させられ、ミシン本体２のベース部２ａの下方に配置された糸を引っ掛けて引き上げ布地に挿通し、同時に布地を所望の方向に搬送させることによりチェーンステッチが施される。ベース部２ａの下方には、図示した機構を介して調子皿開閉レバー４６の揺動に変換させられて、２個設けられた糸調子部材Ａ，Ｂによる糸張力が変化させられる。
【００３７】
すなわち、メインシャフト１０が回転させられると、ベベルギヤー１１ａに噛み合っているベベルギヤー１６が回転させられてシャフト１４が回転駆動させられ、平歯車１７が回転駆動させられる。平歯車１７にはシャフト１９に固定された平歯車２０が噛み合っているので、シャフト１９が回転駆動させられる。シャフト１９の先端部には円柱部１９ａが形成されるとともにカム２３が圧入されているので、これら円柱部１９ａ及びカム２３が一体となって回転する。
【００３８】
平歯車２０に形成された周溝２０ｂには、切換レバー２２から突出したピン２２ｂが挿入されているので、この切換レバー２２を揺動させると平歯車２０が平歯車１７に対して相対移動させられてシャフト１９が軸線方向に進退移動させられる。円柱部１９ａ及びカム２３は、揺動レバー２５に取り付けられたローラー２６に外接する位置に配置されているので、シャフト１９の進退により、ローラー２６に円柱部１９ａ又はカム２３のいずれかが外接するように切り換えられる。
【００３９】
円柱部１９ａが外接している状態ではメインシャフト１０が回転していても揺動レバー２５は揺動させられない。カム２３が外接している状態ではメインシャフト１０の回転に連動して、カム２３の外周面の形状に応じてローラー２６が押圧されて揺動レバー２５が支軸２４を中心として揺動する。ここで、平歯車２０の歯数を平歯車１７の２倍の歯数に設定してあるので、メインシャフト１０の２回転で揺動レバー２５が１回揺動することになる。
【００４０】
揺動レバー２５の先端には、リンクバー３３が止めねじ３３ａにより連結されているので、揺動レバー２５の揺動に伴ってリンクバー３３は図中上下方向に往復運動する。リンクバー３３には止めねじ３３ｅによりＬ字リンク板３４が連結され、Ｌ字リンク板３４は偏心軸３６の鍔部３６ｂに挿入されているので、リンクバー３３の上下運動に伴ってＬ字リンク板３４は偏心軸３６を支点として揺動する。
【００４１】
切換レバー３９のネジ部３９ｂは、偏心軸３６のネジ孔３６ｃにねじ込まれているので、切換レバー３９の摘まみ部３９ａをつまんで回転させると、鍔部３６ｂが貫通孔３４ｂ内で回転し、Ｌ字リンク板３４が揺動させられてリンクバー４２が図中ほぼ水平方向に僅かに移動させられる。これにより、調子皿開閉レバー４６も僅かに揺動させられ、糸調子取付ブラケット４５から突出するピン５１，６１に対する相対位置関係が変化させられる。この相対位置の変化によりリンクバー４２の往復運動により調子皿開閉レバー４６を揺動させた際に、ピン５１のみを押圧する状態、両方を交互に押圧する状態、ピン６１のみを押圧する状態とに切り換えることができる。
【００４２】
Ｌ字リンク板３４にはリンクバー４２がボルト３４ｄにより連結されているので、Ｌ字リンク板３４の揺動に伴ってリンクバー４２が図中水平方向に往復運動する。リンクバー４２の先端には調子皿開閉レバー４６が止めネジ４６ｅにより連結され、調子皿開閉レバー４６は支軸ネジ４６ｂにより支持されているので、調子皿開閉レバー４６はリンクバー４２の往復運動に伴って支軸ネジ４６ｂを支点として揺動する。
【００４３】
糸調子取付ブラケット４５には、糸調子部材Ａ，Ｂが取り付けられており、これら糸調子部材Ａ，Ｂの調子作動ピン５１，６１が糸調子取付ブラケット４５から突出して、調子皿開閉レバー４６の端部付近に対向しているので、調子皿開閉レバー４６が揺動すると、調子作動ピン５１，６１の一方を揺動の度に押圧する。調子作動ピン５１，６１が押圧されると、これらは調子ネジ棒５０，６０内に押し込まれ、可動の調子皿５３，６３が固定の調子皿５２，６２に対して離間する方向に移動させられる。
【００４４】
調子皿５２，５３又は調子皿６２，６３間にはそれぞれ糸が挿入され、押圧コイルスプリング５４，６４により相互に押圧付勢されて糸に張力が付与されるようになっている。したがって、調子皿５２，５３又は調子皿６２，６３が離間する方向に移動させられて隙間が開くと、押圧コイルスプリング５４，６４による押圧力が作用しなくなり、糸の張力が減少させられる。
【００４５】
調子皿５２，５３又は調子皿６２，６３間に挿入された２本の糸は束ねられて糸穴４５ｅ内に挿入され、コイルスプリング７０の円弧状部７０ｂの先端に形成されたリング部７０ｃ内に挿入されて図中ほぼ水平方向に張設されている。メインシャフト１０の回転に連動して駆動される縫製機構２ｃに配置されたかぎ針が図中上下方向に往復運動させられて、かぎ針の鉤部により、２本束ねられた糸をかきあげて布地に挿通させられてチェーンステッチが形成される。
【００４６】
上記のように、調子皿開閉レバー４６の揺動により糸の張力が変化させられると、かぎ針により布地に形成されるチェーンステッチの状態が変化させられる。すなわち、糸の張力が大きいとチェーンステッチを形成する糸は細く引っ張られた状態で細い糸目となる。一方、糸の張力が小さいとチェーンステッチを形成する糸はあまり引っ張られず太い糸目となる。したがって、糸の張力が増加・減少させられると、チェーンステッチの糸目が、細くなったり太くなったりして、チェーンステッチの模様パターンが変化する。
【００４７】
調子皿５２，５３及び調子皿６２，６３を一つの縫い目を形成するたびに交互開いて張力を交互に増加・減少させると、２本の糸は一つのチェーンステッチ毎に交互に細くなったり太くなったりする模様パターンが形成されることになる。
【００４８】
【発明の効果】
以上説明したように、本発明の刺繍縫いミシンは以下のような効果を奏する。
【００４９】
（１）かぎ針に複数本の糸を同時に掛け、当該かぎ針を布地に挿通させて複数本の糸が重ね合った縫い目を形成させるので、複数本の糸が重なった縫い目により装飾的な趣向を与えることができ、複数本の糸の色を適宜選択して組み合わせれば、斬新な装飾的効果を与えることができる。
【００５０】
（２）複数本の糸に対応した糸調子機構により糸の張力を変化させることにより、複数本の糸が重なった縫い目のうちの一部の糸の縫い目を細くしたり太くしたり変化させることができ、斬新な装飾的な趣向を与えることができる。
【００５１】
（３）複数の糸調子機構による張力を前記一又は複数の縫い目を形成させる度に変更させると、一つの縫い目あるいは複数の縫い目を形成する際に一又は複数の縫い目ごとに糸の縫い目を細くしたり太くしたりと変化させることができ、斬新な装飾的な趣向を与えることができる。
【００５２】
（４）糸調子機構による張力を一又は複数の縫い目を形成させる度に変化させて、一又は複数の縫い目ごとに、２本の糸が重なった縫い目のうちの一方又は他方の糸の縫い目を細くしたり太くしたりと変化させることができ、斬新な装飾的な趣向を与えることができる。
【００５３】
（５）張力変更機構により２個の糸調子機構による張力を一つの縫い目を形成する毎に交互に強弱に調整すると、複数の糸が重ね合った縫い目において、縫い目を交互に細くしたり太くしたりと変化させることができ、斬新な装飾的な趣向を与えることができる。
【図面の簡単な説明】
【図１】本発明の刺繍縫いミシンの全体構成を示す概略図である。
【図２】本発明の刺繍縫いミシンの一部を示す分解斜視図である。
【図３】本発明の刺繍縫いミシンの一部を示す分解斜視図である。
【図４】本発明の刺繍縫いミシンの一部を示す正面図である。
【図５】図４に示す刺繍縫いミシンの一部を示す平面図である。
【図６】本発明の刺繍縫いミシンの一部を示す平面図である。
【図７】図４に示す刺繍縫いミシンの一部を示す側面図である。
【図８】本発明の刺繍縫いミシンの一部を示す正面図である。
【図９】本発明の刺繍縫いミシンの一部を示す底面図である。
【図１０】図８に示す刺繍縫いミシンの側面図である。
【図１１】図８に示す刺繍縫いミシンの一部を示す側面図である。
【符号の説明】
１  刺繍縫いミシン
２  ミシン本体
４  糸調子機構
５  張力変更機構
Ａ，Ｂ  糸調子部材
【図１】
2004154385.tif 000003
【図２】
2004154385.tif 000004
【図３】
2004154385.tif 000005
【図４】
2004154385.tif 000006
【図５】
2004154385.tif 000007
【図６】
2004154385.tif 000008
【図７】
2004154385.tif 000009
【図８】
2004154385.tif 000010
【図９】
2004154385.tif 000011
【図１０】
2004154385.tif 000012
【図１１】
2004154385.tif 000013